(57)【要約】      （修正有）【課題】パチンコ遊技機の規定を遵守した状態でパチンコホール内で電力線通信を行うため、パチンコ遊技機へあらゆるデータが送信されないような電力線通信装置（ＰＬＣモデム）と台ユニット部分を内蔵したパチンコ玉貸出機を提供する。【解決手段】パチンコ玉貸出機１１に電源出力用のコネクターを取り付け、パチンコ遊技機への電源の供給にパチンコ玉貸出機を経由させる。パチンコ玉貸出機内にデータカットフィルター１４を設置し、ホールコンピューター２２などからパチンコ遊技機へデータが送信されないようにする。【選択図】図１
0003135652.tif 000002
【実用新案登録請求の範囲】
【請求項１】
パチンコ遊技機１台から送信される遊技に関する情報信号を、電力線通信（ＰＬＣ）に適した信号に変調する装置であって、パチンコ遊技機にデータが送信されない機能を備えたことを特徴とする電力線通信用装置（ＰＬＣモデム）と、
パチンコ遊技機１台から送信される遊技に関する情報信号を、遊技場全体の遊技機の情報を処理するホールコンピューターに送信するための装置である台ユニットとの機能を内蔵した、現金（紙幣）を挿入するとパチンコ玉が提供されるパチンコ玉貸出機。
【考案の詳細な説明】
【技術分野】
【０００１】  本考案は、電力線通信（ＰＬＣ）をパチンコホールにおいて使用するために必要な、パチンコ遊技機専用の通信装置（ＰＬＣモデム）と台ユニットの機能を内蔵したパチンコ玉貸出機に関するものである。
【背景技術】
【０００２】  従来のパチンコ遊技機各台およびパチンコ玉貸出機とホールコンピューターの通信は、遊技機各台およびパチンコ玉貸出機の情報を管理するコンピューター（台ユニット）を介している。台ユニットは、パチンコ遊技機から発信される、大当たり、払い出し、打ち出し、小当たり等の信号や、玉貸出機およびコイン貸出機から送られる売上信号を処理する。パチンコ遊技機や玉貸出機およびコイン貸出機から信号線を伝わり台ユニットへ電流が流れると、台ユニットは流れてきた電流の長さと回数を計測しデジタルデータに変換する。そのデータをホールコンピューターへＬＡＮケーブルを利用して送り、受け取ったホールコンピューターは情報を処理する。
上記のように従来のパチンコホールでは、パチンコ遊技機と台ユニット、パチンコ玉貸出機と台ユニット、さらに台ユニットとホールコンピューターとを、ＬＡＮケーブルで接続しており、配線のために場所、費用、時間がかかってしまう。
電力線通信（ＰＬＣ）は、電力を供給するために配設されている電力線を利用して情報を伝送するものであり、通信速度が高速である上に、通信線路を新たに敷設する必要がなく設備投資を抑える事が可能であるため、近年、インターネットアクセス用や家庭内のホームネットワークを構築するための通信手段として注目されている。
パチンコ遊技機は、規定により、データの受信は認められず、送信のみ認められるため、通信が一方通行となっている必要がある。パチンコ遊技機とホールコンピューターの通信に、従来の電力線通信装置（ＰＬＣモデム）を利用すると、全ての電力線の中をアナログデータが通過してしまい、パチンコ遊技機へもデータを送信する状態になってしまう。
【考案の開示】
【考案が解決しようとする課題】
【０００３】  そこで、本考案は、このようなパチンコ遊技機の規定を遵守した状態で、パチンコホール内で電力線通信を行うため、パチンコ遊技機へあらゆるデータが送信されないような電力線通信装置（ＰＬＣモデム）と、台ユニットの機能を内蔵したパチンコ玉貸出機を提供することを課題とする。
【課題を解決するための手段】
【０００４】  パチンコ玉貸出機に電力線通信装置（ＰＬＣモデム）と台ユニットの機能を内蔵させ、一体化したものを提供する。パチンコ玉貸出機に電源出力用のコネクターを取り付け、パチンコ遊技機への電源の供給にパチンコ玉貸出機を経由させる。パチンコ玉貸出機内にデータカットフィルターを設置し、パチンコ遊技機へデータが送信されないようにする。
【考案の効果】
【０００５】  本考案のパチンコ玉貸出機によれば、パチンコ遊技機からのデータは送信できるが、パチンコ遊技機本体の電源コードからはデータカットフィルターの働きにより、データの受信はできないため、規格を遵守した状態でパチンコホール内での電力線通信が可能となる。【０００６】  本考案のパチンコ玉貸出機を使用すると、ホールコンピューターから情報を発信しても、パチンコ遊技機までデータが伝わらないため、ホールコンピューターによるパチンコ遊技機の不正操作を防ぐことができる。
また、パチンコホールの電力線に不正な操作を行った場合も、パチンコ遊技機までデータが伝わらないため、パチンコ遊技機の不正操作や誤作動を防ぐことができる。
さらに、電力線通信装置（ＰＬＣモデム）と台ユニットの機能を内蔵したパチンコ玉貸出機であるため、従来のようにＬＡＮケーブルで接続するよりも、通信速度が高速である上に配線が簡略化でき、電力線通信装置と台ユニットとパチンコ玉貸出機をそれぞれ設置するよりも低コストで省スペースである。
【考案を実施するための最良の形態】
【０００７】    図１は、パチンコホールでの本考案に係るパチンコ玉貸出機１１の実施例が示されている。
図１に示されるように、パチンコ遊技機２１の遊技データは信号線２３によりパチンコ玉貸出機１１に内蔵された台ユニット部分１３へ送信される。パチンコ玉貸出機の売上データは、台ユニット部分１３へ送信される。パチンコ玉貸出機１１は、内蔵された信号重畳装置１２により、信号をアナログデータに変調し、電力線３０へ送信する。【０００８】  パチンコ遊技機の遊技データには、玉の打ち出し、玉の払い出し、スタート信号、特賞信号、確率変動信号、小当たり信号などがある。パチンコ遊技機で玉の打ち出しが行われると、パチンコ遊技機から信号が発信され、台ユニット部分１３は打ち出し玉数を計測する。打ち出した玉がパチンコ遊技機のスタートチャッカーを通過し、ルーレットが回転を始めた回数をスタート回数といい、その場合、パチンコ遊技機からスタート信号が発信され、台ユニット部分１３はスタート回数を計測する。そのほか、パチンコ遊技機によって、大当たり信号、確率変動信号、小当たり信号などが発信され、台ユニット部分１３はそれぞれその信号が発信された回数を計測する。【０００９】  パチンコ玉貸出機１１に内蔵された台ユニット部分１３は、パチンコ遊技機からの接点出力によるパルス信号を、フォトカプラと呼ばれる電子部品により受信する。フォトカプラには１次側（入力）と２次側（出力）ある。１次側はＬＥＤやランプなど電気信号を光に変える素子が入っている。２次側にはフォトトランジスタやＣｂｓなど、光を電気信号に変換する素子が入っている。１次側のＬＥＤが光ると２次側のフォトトランジスタがＯＮしてスイッチの代わりになる。光を媒体とすることで電気的には絶縁しているため、信号がパチンコ遊技機から台ユニット部分への一方通行しか伝わらない仕組みになっている。
フォトカプラにより入力されたパルス信号は、パチンコ玉貸出機内部の信号変換機によりアナログ信号へ変換され、同じくパチンコ玉貸出機内部の信号重畳装置１２により電力線３０へ出力される。【００１０】  パチンコ玉貸出機１１の内部の信号重畳装置１２から電力線３０に送られたアナログデータは、ホールコンピューター２２へ接続した電力線通信装置（ＰＬＣモデム）１６により抽出され、デジタルデータへと復調される。電力線通信装置（ＰＬＣモデム）１６は、復調されたデータをホールコンピューター２２へ送信し、ホールコンピューター２２は情報を受信し処理する。【００１１】  ホールコンピューター２２は、ホールに設置してあるそれぞれのパチンコ玉貸出機１１の内部の台ユニット部分１３から、打ち出した玉数や機械が払い出した玉数、スタート回数、大当たりなどデータをすべて集約し、売上、粗利、玉単価などの集計を行う。売上と粗利は、店全体はもちろん各パチンコ遊技機ごと、島ごと、など個別にも計算し、パチンコホールの経営に重要な数値の集計を行う。【００１２】  パチンコ遊技機２１の電源コード２６は、パチンコ玉貸出機１１の側面に設置された、コネクター１５から供給される。パチンコ玉貸出機１１の内部には、データカットフィルター１４が設置されている。このデータカットフィルター１４を経由することにより、パチンコ遊技機２１にデータが送信できなくなる。【００１３】  データカットフィルター１４は、パチンコ玉貸出機１１から、パチンコ遊技機２１に送信するデータを打ち消す機能を持つ。
データカットフィルター１４は一般的にフィルタ回路と呼ばれるものである。すなわち、抵抗、コンデンサ、コイル等をそなえ、入力された電気信号に帯域制限をかけたり、特定の周波数成分を取り出したりすることが出来る。パチンコ玉貸出機１１の内部に設置されたデータカットフィルター１４は、電源の周波数である５０Ｈｚおよび６０Ｈｚ以外に制限をかけ、実質的に重畳させずに負荷に供給させることで、パチンコ遊技機２１へ電力は供給されるがデータは伝わらないようにする。【００１４】  図２は、パチンコホールでの従来の電力線通信装置（ＰＬＣモデム）２８、台ユニット２９およびパチンコ玉貸出機２７を用いた場合の実施例が示されている。もちろん、従来の電力線通信装置を使用しても、データの送受信は問題なく行うことができる。
図２では、パチンコ遊技機の電源コード２６は、データカットフィルターを通さず、直接電力線３０へつないである。従来の電力線通信装置２８、台ユニット２９には、データカットフィルターを経由しないため、電力線３０の中を流れるデータはすべてパチンコ遊技機２１に送られてしまう。パチンコ遊技機にデータを送信することは行政の規格上認められないものであり、このような使用方法では、パチンコホールでは実用化が不可能といえる。【００１５】  図３は、実施例のパチンコ玉貸出機１１の正面図である。
表面には、紙幣挿入口１８と、玉払い出し口１９を有している。紙幣挿入口１８に、紙幣を挿入すると、挿入した紙幣の金額に応じてパチンコ玉が玉払い出し口１９から提供される。その状態で、遊技者がパチンコ遊技機の打球操作ハンドルを操作することにより、提供されたパチンコ玉を１つずつ打込むことが可能となり、パチンコ玉を用いた遊技が可能となる。そして、遊技の結果、打込んだ玉が入賞することにより景品玉としてのパチンコ玉が上皿に払出される。遊技を終了する際、上皿玉抜レバーを操作すると、貯留されているパチンコ玉が下皿に払出される。【００１６】  図４は、実施例のパチンコ玉貸出機１１の背面図である。
背面には、パチンコ玉貸出機１１から払い出す玉を補給するための、玉補給口２０を有している。投入された紙幣を回収する方法は、以下の２つがあげられる。紙幣取り出し口１７が、図５のように、実施例のパチンコ玉貸出機１１の表面の下部に設置されている場合は、パチンコホールの従業員が取り出し口の鍵を開錠し紙幣を回収する。図６のように、裏面に紙幣搬送用ンールが設置されている場合は、挿入された紙幣は各パチンコ玉貸出機からレール内を移動し、島ごとに集積されるため、従業員が島ごとに集積されたものをまとめて回収する。
背面には、パチンコ遊技機の遊技データを受信するための、遊技情報入力端末が設けられており、遊技機の遊技情報が、この情報入力端末から入力できるように構成されている。パチンコ遊技機で、玉の打ち出し、玉の払い出し、スタート信号、特賞信号、確率変動信号、小当たり信号などの信号が発信され、この情報入力端末から台ユニット部分１３に伝えられる。
背面下部にはパチンコ玉貸出機１１に電力を供給し、電力線３０と接続し電力線通信を行うための電源コード２５を有している。
背面には、パチンコ遊技機の電源コードを差し込むためのコネクター１５を有している。このコネクター１５から、パチンコ遊技機２１に電力を供給する。コネクター１５の内部裏側に接する形でデータカットフィルター１４が取り付けられている。
内部には、遊技機や玉貸出機及びコイン貸出機から信号線を通じて送信されるデジタルデータをアナログデータに変調し、電力線へデータをアナログデータ送信する信号重畳装置１２を備える。【００１７】  パチンコ玉貸出機１１には、紙幣判別部が設けられており、紙幣挿入口１８から挿入された紙幣が適正な紙幣であるか否かを判別する。そして適正な紙幣であると判別した紙幣判別部は、紙幣受付信号を玉貸制御基板に出力する。玉貸制御基板は、前述した紙幣受付信号を受信した場合、受信した信号に対応する分の玉を玉払い出し口１９から提供するように制御する。また、その後に、前述した現金売上情報をホールコンピューターに電力線を介して送信する。【００１８】    電力線通信装置は、イーサネット信号と電力線通信信号（ＰＬＣ信号）を相互に変換する装置である。一般的には、パソコンなどの機器と電力線通信装置（ＰＬＣモデム）をＬＡＮケーブルで接続し、電源ケーブルをコンセントに挿して使う。電力線通信装置（ＰＬＣモデム）をつないだパソコンがデータを送信すると、そのデータは電力線通信装置（ＰＬＣモデム）から電気配線を経由して相手先の電力線通信装置（ＰＬＣモデム）に伝わり、再びＬＡＮケーブル経由で相手先のパソコンなどの機器に届けられる。【００１９】  次に、パチンコ玉貸出機１１の内部にある、電力線通信装置の機能である、信号重畳装置１２について詳細な説明を行う。
パチンコ玉貸出機内部の電力線通信装置（ＰＬＣモデム）部分にイーサネット信号として送信されたデータは、まず、イーサネット・チップに入る。イーサネット・チップは、イーサネットの伝送に使われる電気信号を復調し、デジタル信号に戻す。
デジタル信号に復調されたイーサネット信号は、次にＰＬＣチップへと進む。ＰＬＣチップは、取り込んだデジタル信号を電力線通信で扱うアナログの電力線通信信号（ＰＬＣ信号）に変調するための前処理を行う。また、ＰＬＣチップは複数のモデムが混信することなく通信できるように制御する役目も担っている。
ＰＬＣチップの次にＤ／Ａコンバータが、電力線で運ぶためのアナログ信号に変調する。アナログ信号は、さらにアナログ・フロントエンドという部分で波形を整える、ノイズとなる電流を減らす、等の処理が加えられる。Ｄ／Ａコンバータとアナログ・フロントエンドは、アナログ処理の回路を行い、電力線通信信号（ＰＬＣ信号）とノイズを選り分け、受信したアナログの電力線通信信号（ＰＬＣ信号）の波形を送信側が送り出したときの波形に近づけるための処理を行う。
電力線通信信号（ＰＬＣ信号）は次に電源基板に進む。ＰＬＣ基板との受け渡し役であるパルス・トランスが、電力線通信信号（ＰＬＣ信号）を電源基板に送る。パルス・トランスは、受信した信号の中から電力線通信信号（ＰＬＣ信号）のみを取り出す、または注入するための部品である。こうしてアナログの電力線通信信号（ＰＬＣ信号）は、信号重畳装置１２により、電源基板の回路から電源プラグを通って電力線３０へと送り出される。
【図面の簡単な説明】
【００２０】
【図１】  実施例のパチンコ遊技機とパチンコ玉貸出機、ホールコンピューターの図
【図２】  従来のＰＬＣモデム利用時のパチンコ遊技機とＰＬＣモデム、台ユニット、パチンコ玉貸出機、ホールコンピューターの図
【図３】  実施例のパチンコ玉貸出機の正面図
【図４】  実施例のパチンコ玉貸出機の背面図
【図５】  紙幣取り出し口が表面にある実施例のパチンコ玉貸出機の正面図
【図６】  紙幣搬送用レールがある実施例のパチンコ玉貸出機の背面図
【符号の説明】
【００２１】１１  本考案のパチンコ玉貸出機
１２  信号重畳装置
１３  台ユニット部分
１４  データカットフィルター
１５  コネクター
１６  電力線通信装置（ＰＬＣモデム）
１７  紙幣取り出し口
１８  紙幣挿入口
１９  玉払い出し口
２０  玉補給口
２１  パチンコ遊技機
２２  ホールコンピューター
２３  信号線
２５  パチンコ玉貸出機の電源コード
２６  パチンコ遊技機の電源コード
２７  従来のパチンコ玉貸出機
２８  従来の電力線通信装置（ＰＬＣモデム）
２９  従来の台ユニット
３０  電力線
【図１】
0003135652.tif 000003
【図２】
0003135652.tif 000004
【図３】
0003135652.tif 000005
【図４】
0003135652.tif 000006
【図５】
0003135652.tif 000007
【図６】
0003135652.tif 000008
【手続補正書】
【提出日】平成19年6月14日(2007.6.14)
【手続補正１】
【補正対象書類名】明細書
【補正対象項目名】００１８
【補正方法】変更
【補正の内容】
【００１８】    電力線通信装置は、イーサネット（登録商標）信号と電力線通信信号（ＰＬＣ信号）を相互に変換する装置である。一般的には、パソコンなどの機器と電力線通信装置（ＰＬＣモデム）をＬＡＮケーブルで接続し、電源ケーブルをコンセントに挿して使う。電力線通信装置（ＰＬＣモデム）をつないだパソコンがデータを送信すると、そのデータは電力線通信装置（ＰＬＣモデム）から電気配線を経由して相手先の電力線通信装置（ＰＬＣモデム）に伝わり、再びＬＡＮケーブル経由で相手先のパソコンなどの機器に届けられる。
【手続補正２】
【補正対象書類名】明細書
【補正対象項目名】００１９
【補正方法】変更
【補正の内容】
【００１９】  次に、パチンコ玉貸出機１１の内部にある、電力線通信装置の機能である、信号重畳装置１２について詳細な説明を行う。
パチンコ玉貸出機内部の電力線通信装置（ＰＬＣモデム）部分にイーサネット（登録商標）信号として送信されたデータは、まず、イーサネット（登録商標）・チップに入る。イーサネット（登録商標）・チップは、イーサネット（登録商標）の伝送に使われる電気信号を復調し、デジタル信号に戻す。
デジタル信号に復調されたイーサネット（登録商標）信号は、次にＰＬＣチップへと進む。ＰＬＣチップは、取り込んだデジタル信号を電力線通信で扱うアナログの電力線通信信号（ＰＬＣ信号）に変調するための前処理を行う。また、ＰＬＣチップは複数のモデムが混信することなく通信できるように制御する役目も担っている。
ＰＬＣチップの次にＤ／Ａコンバータが、電力線で運ぶためのアナログ信号に変調する。アナログ信号は、さらにアナログ・フロントエンドという部分で波形を整える、ノイズとなる電流を減らす、等の処理が加えられる。Ｄ／Ａコンバータとアナログ・フロントエンドは、アナログ処理の回路を行い、電力線通信信号（ＰＬＣ信号）とノイズを選り分け、受信したアナログの電力線通信信号（ＰＬＣ信号）の波形を送信側が送り出したときの波形に近づけるための処理を行う。
電力線通信信号（ＰＬＣ信号）は次に電源基板に進む。ＰＬＣ基板との受け渡し役であるパルス・トランスが、電力線通信信号（ＰＬＣ信号）を電源基板に送る。パルス・トランスは、受信した信号の中から電力線通信信号（ＰＬＣ信号）のみを取り出す、または注入するための部品である。こうしてアナログの電力線通信信号（ＰＬＣ信号）は、信号重畳装置１２により、電源基板の回路から電源プラグを通って電力線３０へと送り出される。